(57)【要約】【課題】  一つの操作で、パネルを装置本体に対する側方に向けて移動させることができ、かつ、そのパネルに備えた操作部及び／又は表示部を上向き姿勢から横向き姿勢に姿勢変更できるようにする。【解決手段】  操作部１及び／又は表示部２を備えたパネル３を、装置本体４に対して移動自在に支持してある処理装置であって、パネルの装置本体に対する側方に向けての移動動作と、操作部及び／又は表示部の上向き姿勢から、側方に向く横向き姿勢への姿勢変更動作とを連動させるギア連動機構１１を設けてある。【選択図】        図３
2006035752.tif 000002
【特許請求の範囲】
【請求項１】
操作部及び／又は表示部を備えたパネルを、装置本体に対して移動自在に支持してある処理装置であって、
前記パネルの装置本体に対する側方に向けての移動動作と、前記操作部及び／又は表示部の上向き姿勢から、前記側方に向く横向き姿勢への姿勢変更動作とを連動させるギア連動機構を設けてある処理装置。
【請求項２】
前記パネルを前記移動自在に支持する支持部材を、上下揺動自在に前記装置本体に取り付け、
前記パネルの前記側方に向けての移動に伴って、前記支持部材が下向きに揺動するように、前記ギア連動機構を構成してある請求項１記載の処理装置。
【請求項３】
前記パネルを前記移動自在に支持すると共に上下揺動自在に枢支する支持部を前記装置本体に固定し、
前記パネルの前記側方に向けての移動に伴って、前記パネルが下向きに揺動するように、前記ギア連動機構を構成してある請求項１記載の処理装置。
【発明の詳細な説明】
【技術分野】
【０００１】
本発明は、操作部及び／又は表示部を備えたパネルを、装置本体に対して移動自在に支持してある処理装置に関する。
【背景技術】
【０００２】
上記処理装置は、装置本体に対して接近できる距離や姿勢が制限される例えば車椅子に乗った人でも、操作部を容易に操作したり、表示部の表示を容易に確認できるように、操作部及び／又は表示部を備えたパネルを、装置本体に対して移動自在に支持してあり、例えば、複写機やプリンタ，ファクシミリなどの画像処理装置では、従来、パネルの取り付け角度を変更できるようにしたもの（例えば、特許文献１参照）や、パネルを装置本体の前方に向けて移動できるようにしたもの（例えば、特許文献２参照）が提案されている。
【０００３】
【特許文献１】特開２００４−８５７６２号公報
【特許文献２】特開２００４−３８０９４号公報
【発明の開示】
【発明が解決しようとする課題】
【０００４】
このため、パネルを装置本体に対する側方に向けて移動させ、かつ、操作部及び／又は表示部を上向き姿勢から、装置本体に対する側方に向く横向き姿勢に姿勢変更できるようにしたい場合に、上記従来技術を組み合わせると、パネルを装置本体に対する側方に向けて移動させる操作と、操作部及び／又は表示部を上向き姿勢から横向き姿勢に姿勢変更する操作とを各別に行う必要があるので、それらの操作が煩わしい欠点があり、とりわけ、車椅子に乗った人にとっては、操作そのものがしずらい欠点もある。
本発明は上記実情に鑑みてなされたものであって、一つの操作で、パネルを装置本体に対する側方に向けて移動させることができ、かつ、そのパネルに備えた操作部及び／又は表示部を上向き姿勢から横向き姿勢に姿勢変更できるようにすることを目的とする。
【課題を解決するための手段】
【０００５】
本発明の第１特徴構成は、操作部及び／又は表示部を備えたパネルを、装置本体に対して移動自在に支持してある処理装置であって、前記パネルの装置本体に対する側方に向けての移動動作と、前記操作部及び／又は表示部の上向き姿勢から、前記側方に向く横向き姿勢への姿勢変更動作とを連動させるギア連動機構を設けてある点にある。
【０００６】
〔作用及び効果〕
パネルの装置本体に対する側方に向けての移動動作と、そのパネルに備えた操作部及び／又は表示部の上向き姿勢から、側方に向く横向き姿勢への姿勢変更動作とを連動させてあるので、パネルを移動させる操作、或いは、操作部及び／又は表示部の姿勢を変更する操作の一つの操作で、パネルを装置本体に対する側方に向けて移動させることができ、かつ、そのパネルに備えた操作部及び／又は表示部も上向き姿勢から横向き姿勢に姿勢変更できる。
また、パネルの移動動作と、操作部及び／又は表示部の姿勢変更動作とを連動させるギア連動機構を設けてあるので、パネルの移動量や操作部及び／又は表示部の姿勢変更角度を、ギアの歯数やピッチなど変更することにより、処理装置の機能や形状などの仕様に応じた所望の大きさに簡便に設定できる。
【０００７】
本発明の第２特徴構成は、前記パネルを前記移動自在に支持する支持部材を、上下揺動自在に前記装置本体に取り付け、前記パネルの前記側方に向けての移動に伴って、前記支持部材が下向きに揺動するように、前記ギア連動機構を構成してある点にある。
【０００８】
〔作用及び効果〕
支持部材を上下揺動自在に装置本体に取り付けることで、その支持部材に支持してあるパネルを、装置本体に対する側方に向けて移動させるに伴って、支持部材をパネルごと下向きに揺動させて、そのパネルに備えた操作部及び／又は表示部を上向き姿勢から横向き姿勢に姿勢変更できるので、 一つの操作で、パネルを装置本体に対する側方に向けて移動させることができ、かつ、そのパネルに備えた操作部及び／又は表示部も上向き姿勢から横向き姿勢に姿勢変更できるように、パネルを必要に応じて組み付け易い。
【０００９】
本発明の第３特徴構成は、前記パネルを前記移動自在に支持すると共に上下揺動自在に枢支する支持部を前記装置本体に固定し、前記パネルの前記側方に向けての移動に伴って、前記パネルが下向きに揺動するように、前記ギア連動機構を構成してある点にある。
【００１０】
〔作用及び効果〕
パネルを装置本体に対する側方に向けて移動させるに伴って、そのパネルに備えた操作部及び／又は表示部も上向き姿勢から横向き姿勢に姿勢変更できるように構成するにあたって、例えば、パネルを移動自在に支持する支持部材を、装置本体に上下揺動自在に設けてあるような場合は、パネルに加えて、支持部材も装置本体に干渉しないように組み付ける必要があり、処理装置の仕様に応じた各種構造や機器を装置本体側に配置する上での制約が多くなる欠点がある。
上記に対して、装置本体に固定してある支持部に、装置本体に干渉しないように、パネルを移動自在に支持すると共に上下揺動自在に枢支して、そのパネルを装置本体に対する側方に向けて移動させる一つの操作で、パネルを下向きに揺動させて、そのパネルに備えた操作部及び／又は表示部を上向き姿勢から横向き姿勢に姿勢変更できるので、処理装置の仕様に応じた各種構造や機器を装置本体側に配置する上での制約が少ない。
【発明を実施するための最良の形態】
【００１１】
以下に本発明の実施の形態を図面に基づいて説明する。
〔第１実施形態〕
図１は本発明による処理装置の一例としての、複写機やプリンタ，ファクシミリなどの画像処理装置Ａを示し、画像処理を実行させる際の操作入力を行うための操作部１と処理状況などの表示を行うための液晶パネル式の表示部２とを備えたパネル３を装置本体４に対して移動自在に支持してある。
【００１２】
前記操作部１には、画像処理モードなどの設定キーや液晶タッチパネル、コピーの開始や終了，中止などの指令を入力する入力キーなどを設けてある。
【００１３】
前記装置本体４には、画像処理を行う画像処理部やシート材に画像形成を行う画像形成部等を内装してあり、パネル３と、原稿を読み取るスキャナ機能を有するスキャナ部５とを上部に設け、印刷出力するためのシート材を収納する給紙カセット６などを装置本体下部に設けてある。
【００１４】
前記パネル３の左右両側は、装置本体４の左右横側部に横軸芯Ｘ周りで上下揺動自在に取り付けてある左右一対の支持部材７に支持してあり、図２に示すように、パネル３の下面側左右両側に沿って設けてある下向き蟻溝８を、支持部材７にその長手方向に沿って設けてある上向き突条９に嵌め込んで、パネル３の前端側に設けてある取っ手１０を掴んで押し引きする動作で、パネル３を装置本体４の前面側前方（装置本体に対する側方の一例）に向けて往復移動自在に支持してある。
【００１５】
そして、図３に示すように、パネル３と各支持部材７とに亘って、パネル３を装置本体４の前面側前方に向けて移動させる移動動作と、そのパネル３に設けてある操作部１及び表示部２を上向き姿勢から、装置本体４の前面側前方に向く横向き姿勢に姿勢変更させる姿勢変更動作とを連動させるギア連動機構１１を設けてある。
【００１６】
前記ギア連動機構１１は、パネル３の左右両側部にラックギア１２を下向きに設けると共に、このラックギア１２に噛み合うピニオンギア１３を支持部材７に回転自在に支持し、また、装置本体４の横側部に、固定歯部１４を横軸芯Ｘと同芯の円弧状に配置して固定すると共に、この固定歯部１４に噛み合う第１ギア１５と、第１ギア１５とピニオンギア１３とに噛み合う第２ギア１６とを支持部材７に回転自在に支持して構成してある。
【００１７】
従って、図３（イ）に示すように装置本体４側に最も引退している通常位置Ｂ１のパネル３を、前面側前方に向けて移動させるに伴って、ピニオンギア１３が回転して、第１ギア１５が固定歯部１４に噛み合って回転しながら横軸芯Ｘ周りで支持部材７と共に回動し、図３（ロ）に示すように、支持部材７がパネル３ごと下向きに揺動して、操作部１及び表示部２が上向き姿勢から横向き姿勢に姿勢変更する。
【００１８】
また、図３（ロ）に示すように装置本体４の前面側前方に最も突出している突出位置Ｂ２のパネル３を、装置本体４側に向けて復帰移動させるに伴って、ピニオンギア１３が逆回転すると共に、第１ギア１５が固定歯部１４に噛み合って逆向きに回転しながら横軸芯Ｘ周りで支持部材７と共に逆向きに回動して、図３（イ）に示すように、支持部材７がパネル３ごと上向きに復帰揺動し、操作部１及び表示部２が横向き姿勢から上向き姿勢に姿勢変更する。
【００１９】
尚、図３（イ）に示す通常位置Ｂ１のパネル３を支持している左右の支持部材７を掴んで下向きに強制揺動させて、操作部１及び表示部２を上向き姿勢から横向き姿勢に姿勢変更するに伴って、固定歯部１４に噛み合っている第１ギア１５を回転させると共に、ピニオンギア１３を回転させて、図３（ロ）に示すように、パネル３を突出位置Ｂ２に移動させたり、図３（ロ）に示す突出位置Ｂ２のパネル３を支持している左右の支持部材７を掴んで上向きに強制揺動させて、操作部１及び表示部２を横向き姿勢から上向き姿勢に姿勢変更するに伴って、固定歯部１４に噛み合っている第１ギア１５を逆回転させると共に、ピニオンギア１３を逆回転させて、図３（イ）に示すように、パネル３を通常位置Ｂ１に復帰移動させても良い。
【００２０】
〔第２実施形態〕
図４，図５は本発明による処理装置の別実施形態を示し、第１実施形態で示したパネル３を装置本体４の前面側前方に最も突出している突出位置Ｂ２に移動するように付勢する付勢機構１７と、パネル３を装置本体４の前面側前方から最も引退している通常位置Ｂ１に固定自在なロック機構１８とを設けてある。
【００２１】
前記付勢機構１７は、図４に示すように、左右の支持部材７どうしを連結部材１９で連結して一体に揺動自在に支持すると共に、その連結部材１９の長手方向中間位置に形成した凸部２０を、パネル３の下面側に形成した凹部２１に入り込ませ、この凸部２０と凹部２１の奥側とに亘ってコイルバネ（弾性体の一例）２２を連結して、図５（ロ）に示す突出位置Ｂ２に移動しているパネル３を、図５（イ）に示す通常位置Ｂ１に移動させるに伴って、コイルバネ２２が伸張して、そのコイルバネ２２の付勢力で、パネル３が通常位置Ｂ１から突出位置Ｂ２に復帰移動可能に設けてある。
【００２２】
前記ロック機構１８は、バネ２３で下向きに移動付勢してある操作部材２４をパネル３に上下に往復移動操作自在に保持すると共に、パネル３を通常位置Ｂ１に移動させたときに、操作部材２４の係止爪２５を入り込ませて、パネル３の突出位置Ｂ２側への移動を阻止するように係止自在な係止部２６を、連結部材１９の前面側端部に設けて構成してある。
【００２３】
そして、図５（ロ）に示す突出位置Ｂ２のパネル３を手動操作で通常位置Ｂ１に向けて移動させることにより、コイルバネ２２を弾性的に伸張させると共に、操作部材２４の係止爪２５を係止部２６に係止させて、図５（イ）に示すように、パネル３を通常位置Ｂ１に保持し、図５（イ）に示す通常位置Ｂ１のパネル３を突出位置Ｂ２に移動させるときは、操作部材２４を指で押し上げて、係止爪２５と係止部２６との係止を解除すると、図５（ロ）に示すように、パネル３がコイルバネ２２の収縮しようとする付勢力で突出位置Ｂ２に移動するように構成してある。
【００２４】
また、突出位置Ｂ２に移動させたパネル３を装置本体４側に固定できるように、連結部材１９の凸部２０と凹部２１における奥側とにマグネットキャッチなどの互いに吸引する磁石２７を設けてある。
【００２５】
尚、係止爪２５と係止部２６との係止に代えて、パネル３側と連結部材１９側とにマグネットキャッチなどの互いに吸引する磁石を設けて、それらの磁石同士の吸着により、パネル３を通常位置Ｂ１に固定自在なロック機構１８を設けても良い。
その他の構成は第１実施形態と同様である。
【００２６】
〔第３実施形態〕
図６，図７は本発明による処理装置の別実施形態を示し、パネル３の左右両側を装置本体４の前面側前方に向けて往復移動自在に支持すると共に上下揺動自在に枢支する支持部２８を装置本体４に固定し、パネル３を前面側前方に向けて移動させるに伴って、そのパネル３が下向きに揺動するようにギア連動機構１１を設けて、パネル３の前面側前方に向けての移動動作と、操作部１及び表示部２の上向き姿勢から、前面側前方に向く横向き姿勢への姿勢変更動作とを連動させてある。
【００２７】
前記支持部２８は、装置本体４の左右両側に、開口側が互いに対向する状態で、前後方向に沿う凹溝２９を互いに平行に設けて、その凹溝２９の内側にラックギア３０を上向きに設けるとともに、パネル３の左右方向両端面に固定してある支軸３１を係入するガイド溝３２を凹溝２９と平行に装置本体４側に設けて構成してあり、パネル３の下方に位置する装置本体部分４ａには、フィニッシャやジョブセパレータなどの機器を内装してある。
【００２８】
そして、ギア連動機構１１を、各凹溝２９に設けたラックギア３０と、各凹溝２９に入り込んでラックギア３０に噛み合うように、パネル３の左右方向両端面に支軸３１と同芯で一体に固定してあるピニオンギア３３とで構成して、パネル３のガイド溝３２に沿う移動に伴うピニオンギア３３とラックギア３０との噛み合いで、パネル３を装置本体４の前面側前方に向けて往復移動自在に支持すると共に上下揺動自在に枢支してある。
【００２９】
従って、図７（イ）に示す装置本体４側に最も引退している通常位置Ｂ１のパネル３を、前面側前方に向けて移動させるに伴って、ピニオンギア３３がパネル３と共に支軸３１周りで回転して、図７（ロ）に示すように、操作部１及び表示部２が上向き姿勢から横向き姿勢に姿勢変更する。
【００３０】
また、図７（ロ）に示す装置本体４の前面側前方に最も突出している突出位置Ｂ２のパネル３を、装置本体４側に向けて復帰移動させるに伴って、ピニオンギア３３がパネル３と共に支軸３１周りで逆回転して、図７（イ）に示すように、操作部１及び表示部２が横向き姿勢から上向き姿勢に姿勢変更する。
その他の構成は第１実施形態と同様である。
【００３１】
〔その他の実施形態〕
１．本発明による処理装置は、パネルの装置本体の前後方向や左右方向，斜め方向などのいずれの側方に向けての移動動作と、操作部及び／又は表示部の上向き姿勢から横向き姿勢への姿勢変更動作とを連動させるギア連動機構を設けてあっても良い。
２．本発明による処理装置は、パネルの装置本体に対する側方に向けての移動動作と、操作部及び／又は表示部の上向き姿勢から横向き姿勢への姿勢変更動作とを連動させるギア連動機構を、電動式や流体圧式の駆動装置で駆動するように設けてあっても良い。
３．本発明による処理装置は、パネルを、その移動範囲の任意の中間位置に保持できるように設けてあっても良い。
４．本発明による処理装置は、操作部及び／又は表示部を、その姿勢変更範囲の任意の中間姿勢に保持できるように設けてあっても良い。
５．本発明による処理装置は、パネルの装置本体に対する側方に向けての連続的な移動動作と、操作部及び／又は表示部の上向き姿勢から横向き姿勢への段階的な姿勢変更動作とを連動させるギア連動機構を設けてあっても良い。
６．本発明による処理装置は、操作部及び／又は表示部を上向き姿勢から横向き姿勢に姿勢変更可能にパネルに支持して、そのパネルの装置本体に対する側方に向けての移動動作と、操作部及び／又は表示部の上向き姿勢から横向き姿勢への姿勢変更動作とを連動させるギア連動機構を設けてあっても良い。
７．本発明による処理装置は、操作部及び／又は表示部の上向き姿勢から横向き姿勢への姿勢変更角度が９０度以上の角度であっても良く、パネルの取り付け位置や使用環境に応じた姿勢変更角度で設けることができる。
８．本発明による処理装置は、パネルを装置本体の前面側前方から最も引退している通常位置に移動するように付勢する付勢機構と、パネルを装置本体の前面側前方に最も突出している突出位置に固定自在なロック機構とを設けて、通常位置のパネルを手動操作で付勢力に抗して突出位置に向けて移動させるとともに、パネルをロック機構で突出位置に固定し、突出位置のパネルを通常位置に移動させるときは、ロック機構による固定を解除して、付勢機構の付勢力で通常位置に移動するように構成してあっても良い。
９．本発明による処理装置は、パネルを装置本体側の所望の位置に固定できるように、パネル側と装置本体側とにマグネットキャッチなどの互いに吸引する磁石を設けてあっても、パネルを装置本体側に係止させるリンク式の係止機構を係止解除自在に設けてあっても良い。
１０．本発明による処理装置は、パネルを固定するロック機構を設けてある場合は、パネルを容易に移動できるように設けてある取っ手を掴んで押し引き操作するに伴って、ロック機構による固定が解除されるように構成しても良い。
１１．本発明による処理装置は、操作部のみを備えたパネルを支持してあっても良い。
１２．本発明による処理装置は、表示部のみを備えたパネルを支持してあっても良い。
１３．本発明による処理装置は、複写機能や印刷機能，ファクシミリ機能などの複数の機能を備えた画像処理装置であっても良い。
１４．本発明による処理装置は、操作部及び／又は表示部を備えたパネルを、装置本体に対して移動自在に支持してある各種の電気器具や工作機械，運転装置などであっても良い。
【図面の簡単な説明】
【００３２】
【図１】処理装置の斜視図
【図２】要部の一部断面正面図
【図３】要部の側面図
【図４】第２実施形態を示す要部の一部断面正面図
【図５】第２実施形態を示す要部の一部断面側面図
【図６】第３実施形態を示す要部の一部断面正面図
【図７】第３実施形態を示す要部の一部断面側面図
【符号の説明】
【００３３】
１    操作部
２    表示部
３    パネル
４    装置本体
７    支持部材
１１  ギア連動機構
２８  支持部
【図１】
2006035752.tif 000003
【図２】
2006035752.tif 000004
【図３】
2006035752.tif 000005
【図４】
2006035752.tif 000006
【図５】
2006035752.tif 000007
【図６】
2006035752.tif 000008
【図７】
2006035752.tif 000009